(57)【特許請求の範囲】
【請求項１】
他のコネクタと接続されるコネクタであって、
固定接点と、可動板部の一方の端部に設けられた可動接点と、前記可動板部を動かすカードとを有するスイッチ部と、
前記カードを移動させるボタンと、
前記ボタンに接続されたロック解除バネと、
前記スイッチ部に接続されている接続端子と、
を有し、
前記ロック解除バネには、前記コネクタに設けられた係止部により係止されるロック部が設けられており、
前記コネクタに前記他のコネクタを挿入することにより、前記接続端子と前記他のコネクタにおける他の接続端子とが接触し、更に前記コネクタに前記他のコネクタを挿入することにより、前記他のコネクタにより前記ボタンが押されて前記カードが移動し、前記スイッチ部が閉じて前記コネクタから前記他のコネクタに電力が供給され、前記ロック解除バネの前記ロック部が、前記係止部に入り込み、
前記コネクタより前記他のコネクタを引き抜くとき、前記接続端子と前記他の接続端子とが接触している状態で、前記他のコネクタにより前記係止部から前記ロック解除バネの前記ロック部が外れて前記スイッチ部が開き、前記コネクタから前記他のコネクタに供給されている電力が遮断されることを特徴とするコネクタ。
【請求項２】
前記ロック解除バネのロック部が前記係止部に入り込んでいる状態においては、前記スイッチ部が閉じていることを特徴とする請求項１に記載のコネクタ。
【請求項３】
前記スイッチ部を開く方向に前記ボタンを付勢する復帰バネが設けられており、
前記係止部から前記ロック解除バネの前記ロック部が外れた際には、前記復帰バネの復元力により、前記ボタンが元の位置に戻されて前記スイッチ部が開くことを特徴とする請求項１または２に記載のコネクタ。
【請求項４】
前記ロック解除バネには、突起部が設けられており、
前記他のコネクタには、前記突起部に対応するロック解除部が設けられており、
前記コネクタより前記他のコネクタを引き抜くことにより、前記ロック解除部の端に設けられた傾斜部により前記突起部が押され、前記係止部から前記ロック解除バネの前記ロック部が外れることを特徴とする請求項１から３のいずれかに記載のコネクタ。
【請求項５】
前記スイッチ部を閉じる際には、前記他のコネクタに設けられた接触面により前記ボタンの接触可動部が押され、前記接触可動部が動くことにより前記カードが押されることを特徴とする請求項１から４のいずれかに記載のコネクタ。
【請求項６】
請求項１から５のいずれかに記載のコネクタと、
前記他のコネクタと、
を有することを特徴とするコネクタ装置。
【発明の詳細な説明】
【技術分野】
【０００１】
本発明は、コネクタ及びコネクタ装置に関する。
【背景技術】
【０００２】
一般的に電気機器は、電源等より電力の供給を受け動作するものであり、電源より電力の供給を受ける際には、コネクタを介し電源より電気機器へ電力が供給される。この際用いられるコネクタは、特許文献１、２に開示されているように、凸状の雄型タイプのコネクタと、凹状の雌型タイプのコネクタを嵌合することにより、電気的に接続を行うものである。
【０００３】
一方、近年では、地球温暖化等に対する対策の一つとして、ローカルエリアにおける送電においても、電圧変換や送電等における電力損失が少なく、ケーブルの太さも太くする必要のない、直流で高電圧の電力の供給が検討されている。特に、サーバ等の情報機器においては、大量に電力を消費するためこのような電力供給が望ましいものとされている。
【０００４】
このような高電圧の電力をサーバ等の情報機器に用いる場合、装置の設置やメンテナンスの際においては、人により作業が行われるため、電気的接続がされている部分であるコネクタは通常の交流の商用電源に用いられるコネクタとは異なるものとする必要がある。
【先行技術文献】
【特許文献】
【０００５】
【特許文献１】特開平５−８２２０８号公報
【特許文献２】特開２００３−３１３０１号公報
【特許文献３】特開２０１２−１０４４４８号公報
【発明の概要】
【発明が解決しようとする課題】
【０００６】
スイッチを組み込んだ構成のコネクタでは、電源から供給される電圧が１００Ｖ以上の場合、または、高電圧の直流である場合、現在使用されているスイッチをそのまま用いることはできない。例えば、電源から供給される電力が直流４００Ｖの場合では、現在の交流１００Ｖに用いられているスイッチでは、十分な安全性や信頼性が確保されていないため、そのまま使用することは危険である。
【０００７】
よって、本発明は、上記に鑑みてなされたものであり、高電圧の電力を安全に供給することが可能なコネクタを提供することを目的とするものである。
【課題を解決するための手段】
【０００８】
本実施の形態の一観点によれば、他のコネクタと接続されるコネクタであって、固定接点と、可動板部の一方の端部に設けられた可動接点と、前記可動板部を動かすカードとを有するスイッチ部と、前記カードを移動させるボタンと、前記ボタンに接続されたロック解除バネと、前記スイッチ部に接続されている接続端子と、を有し、前記ロック解除バネには、前記コネクタに設けられた係止部により係止されるロック部が設けられており、前記コネクタに前記他のコネクタを挿入することにより、前記接続端子と前記他のコネクタにおける他の接続端子とが接触し、更に前記コネクタに前記他のコネクタを挿入することにより、前記他のコネクタにより前記ボタンが押されて前記カードが移動し、前記スイッチ部が閉じて前記コネクタから前記他のコネクタに電力が供給され、前記ロック解除バネの前記ロック部が、前記係止部に入り込み、前記コネクタより前記他のコネクタを引き抜くとき、前記接続端子と前記他の接続端子とが接触している状態で、前記他のコネクタにより前記係止部から前記ロック解除バネの前記ロック部が外れて前記スイッチ部が開き、前記コネクタから前記他のコネクタに供給されている電力が遮断されることを特徴とする。
【発明の効果】
【０００９】
本発明によれば、現状の商用電源の電圧よりも高い電圧の電源、または、直流電源に対応したコネクタであって、これらの電源からの電力を安全に供給することが可能なコネクタを提供することができる。
【図面の簡単な説明】
【００１０】
【図１】本実施の形態に用いられるジャックコネクタの斜視図
【図２】本実施の形態におけるプラグコネクタの斜視図
【図３】本実施の形態におけるプラグコネクタの正面図
【図４】本実施の形態におけるプラグコネクタの説明図（１）
【図５】本実施の形態におけるプラグコネクタの説明図（２）
【図６】本実施の形態におけるロック解除バネ部の斜視図
【図７】本実施の形態におけるプラグコネクタの説明図（３）
【図８】図７の要部拡大図
【図９】スイッチ部の構造図（オフ状態）
【図１０】スイッチ部の構造図（オン状態）
【図１１】本実施の形態におけるコネクタの接続の工程図（１）
【図１２】本実施の形態におけるコネクタの接続の工程図（２）
【図１３】本実施の形態におけるコネクタの接続の説明図（１）
【図１４】本実施の形態におけるコネクタの接続の工程図（３）
【図１５】本実施の形態におけるコネクタの接続の説明図（２）
【図１６】本実施の形態におけるコネクタの接続の説明図（３）
【図１７】本実施の形態におけるコネクタが接続されている状態の断面図（１）
【図１８】本実施の形態におけるコネクタが接続されている状態の断面図（２）
【図１９】本実施の形態におけるコネクタが接続されている状態の断面図（３）
【図２０】本実施の形態におけるコネクタが接続されている状態の断面図（４）
【図２１】本実施の形態におけるコネクタが接続されている状態の斜視図
【図２２】本実施の形態におけるコネクタの接続の工程図（４）
【図２３】本実施の形態におけるコネクタの接続の説明図（４）
【図２４】本実施の形態におけるコネクタの接続の説明図（５）
【発明を実施するための形態】
【００１１】
本発明を実施するための形態について、以下に説明する。尚、同じ部材等については、同一の符号を付して説明を省略する。
【００１２】
（コネクタの構造）
本実施の形態におけるコネクタの構造について説明する。本実施の形態におけるコネクタは、図１に示される他のコネクタであるジャックコネクタと接続されるものであって、図２及び図３に示される構造のプラグコネクタである。尚、本願においては、図１に示されるジャックコネクタと、図２及び図３に示されるプラグコネクタとをあわせてコネクタまたはコネクタ装置と記載する場合もある。
【００１３】
最初に、図１に基づきジャックコネクタ１００について説明する。ジャックコネクタ１００は、ジャック筐体部１１０を有し、ジャック筐体部１１０のプラグコネクタ２００に差し込まれる側に形成される接触面１１１には、後述するプラグコネクタ２００におけるプラグ端子が入り込むジャック開口部１２１、１２２、１２３が設けられており、各々のジャック開口部１２１、１２２、１２３の内部には、各々のプラグ端子と接続される不図示のジャック端子が設けられている。また、ジャック筐体部１１０のジャック開口部１２１、１２２、１２３が設けられている接触面１１１とは反対側には、電力を供給するための電源ケーブル１３０が接続されている。また、ジャックコネクタ１００には、後述するプラグコネクタ２００との嵌合状態を維持するための図１１等に示される突起部１４１及びこの突起部１４１の位置を上下させるための押下部１４２が設けられている。また、本実施の形態においては、ジャック筐体部１１０には、後述するプラグコネクタ２００における通電状態を解除するためのロック解除部となるロック解除溝１５０が設けられている。ロック解除溝１５０の接触面１１１側には傾斜部１５１が設けられている。
【００１４】
次に、図２及び図３に基づきプラグコネクタ２００について説明する。尚、図２は、プラグコネクタ２００の斜視図であり、図３は正面図である。このプラグコネクタ２００は、プラグ筐体部２１０のプラグコネクタ開口部２１１に設けられたプラグ端子２２１、２２２、２２３を有している。各々のプラグ端子２２１、２２２、２２３は、ジャックコネクタ１００のジャック開口部１２１、１２２、１２３の内部に設けられたジャック端子と接続されるものである。即ち、プラグ端子２２１は、ジャックコネクタ１００のジャック開口部１２１の内部に設けられたジャック端子と接続され、プラグ端子２２２は、ジャックコネクタ１００のジャック開口部１２２の内部に設けられたジャック端子と接続され、プラグ端子２２３は、ジャックコネクタ１００のジャック開口部１２３の内部に設けられたジャック端子と接続される。尚、本実施の形態においては、プラグ端子２２１はＧＮＤ端子であり、プラグ端子２２２、２２３よりも長く形成されている。また、ジャックコネクタ１００は、図１の図示上面が下面となるように図２に図示されるプラグコネクタ２００に接続される。
【００１５】
本実施の形態におけるプラグコネクタ２００は、プラグ筐体部２１０の内部に、後述する図９等に示されるスイッチ部３００を有している。このスイッチ部３００にはプラグ端子２２２、２２３が接続されている。プラグ端子２２２及び２２３は、それぞれスイッチ部３００の可動部に電気的に接続されている。ジャックコネクタ１００とプラグコネクタ２００とが嵌合し、プラグ端子２２２とこれに対応するジャック開口部１２２におけるジャック端子が接続され、プラグ端子２２３とこれに対応するジャック開口部１２３におけるジャック端子が接続されている状態において、スイッチ部３００がオンになることにより、電力の供給がなされる。
【００１６】
本実施の形態におけるプラグコネクタ２００は、図４及び図５に示されるように、ロック解除バネ部２５０と、スイッチ部３００をオンオフするためのボタン２６０とを有している。ボタン２６０は、プラグコネクタ２００に差し込まれるジャックコネクタ１００の先端に位置する接触面１１１によって押される接触可動部２６１を有しており、接触可動部２６１がジャックコネクタ１００の接触面１１１により押されることによって、接触可動部２６１がプラグコネクタ２００の内側に向けて移動する。尚、図４は、本実施の形態におけるプラグコネクタ２００において、プラグ筐体部２１０を取り除いた状態の斜視図であり、図５は、ロック解除バネ部２５０とボタン２６０とが接続されている状態の斜視図である。ロック解除バネ部２５０は弾性を有する金属板を折り曲げることにより形成されており、図６に示すように、突起部２５１、接続部２５２、ロック部２５３、傾斜部２５４等が形成されている。ロック部２５３及び傾斜部２５４は、突起部２５１と接続部２５２との間に形成されている。本実施の形態においては、ボタン２６０とロック解除バネ部２５０とはロック解除バネ部２５０の接続部２５２において接続されており、ボタン２６０が動くと、これに伴いロック解除バネ部２５０も動き、ロック解除バネ部２５０が動くと、これに伴いボタン２６０も動く。
【００１７】
本実施の形態においては、図７及び図８に示すように、プラグコネクタ２００におけるプラグコネクタ開口部２１１の内側の側面には、バネ開口部２４２が設けられており、ロック解除バネ部２５０の突起部２５１は、このバネ開口部２４２において、プラグコネクタ開口部２１１の内側に出っ張る状態で設置されている。またプラグコネクタ２００には、後述するスイッチ部３００をオンからオフにする際にボタン２６０を復帰させるための復帰バネ２７０が設けられている。復帰バネ２７０はコイルバネにより形成されており、ボタン２６０をプラグコネクタ開口部２１１の入り口方向に押し戻す方向に復元力が働くように設置されている。尚、図７は、本実施の形態におけるプラグコネクタ２００の断面斜視図であり、図８は、図７の要部拡大図である。
【００１８】
また、図２に示されるように、プラグコネクタ２００には、ジャックコネクタ１００に設けられた図１１等に示される突起部１４１が入り込むことのできる開口部２４１が設けられている。突起部１４１は、押下部１４２を押下することで押し下げられる。ジャックコネクタ１００とプラグコネクタ２００とが嵌合して、スイッチ部３００が閉じている状態においては、ジャックコネクタ１００に設けられた突起部１４１が、プラグコネクタ２００の開口部２４１に入り込み、突起部１４１が開口部２４１からはずれない状態となる。そのため、ジャックコネクタ１００とプラグコネクタ２００との電気的な接続が維持された状態で、プラグコネクタ２００からのジャックコネクタ１００の引き抜きが防止される。
【００１９】
尚、プラグコネクタ２００よりジャックコネクタ１００を外す際には、ジャックコネクタ１００に設けられた押下部１４２を押して、突起部をプラグコネクタ２００の開口部２４１よりも下の位置に下げて突起部１４１と開口部２４１との係合状態を解除して、プラグコネクタ２００とジャックコネクタ１００とを離す。
【００２０】
（スイッチ部）
次に、プラグコネクタ２００内に設けられているスイッチ部３００について説明する。本実施の形態におけるコネクタのスイッチ部３００は、電力の供給の制御を行なうためのスイッチであって、電源スイッチとも称される。図９及び図１０にスイッチ部３００の内部構造図を示す。図９はスイッチがオフの状態を、図１０はスイッチがオンの状態をそれぞれ示す。
【００２１】
図９及び図１０に示されるように、スイッチ部３００は、固定接点３１１を有する固定部３１０と可動接点３２１を有する可動部３２０とを備え、固定接点３１１と可動接点３２１とが接触するか否かにより、電源の供給のオン、オフの制御を行なうことができるものである。
【００２２】
固定部３１０は、全体が金属等の導電性材料により形成されており、可動部３２０における可動接点３２１と接触する固定接点３１１が、固定バネ３１２の一方の端部に設けられている構造のものである。尚、固定バネ３１２は、銅又は銅を含む合金等からなる金属板等を折曲げることにより形成されており、固定接点３１１は銀と銅の合金により形成されている。固定バネ３１２の他方の端部はベースブロック３３０におけるベースブロック本体部３３１において固定されるとともに、固定バネ３１２の中程において固定部支持部３３２において支持され固定されている。
【００２３】
可動部３２０は、全体が金属等の導電性材料により形成されており、固定部３１０における固定接点３１１と接触する可動接点３２１が、可動板部３２２の一方の端部に設けられ、可動板部３２２の他方の端部と可動バネ３２３の一方の端部とが接続された構造のものである。尚、可動板部３２２及び可動バネ３２３は、銅又は銅を含む合金等からなる金属板等を折曲げることにより形成されており、可動接点３２１は銀と銅の合金により形成されている。可動バネ３２３の他方の端部はベースブロック３３０におけるベースブロック本体部３３１において固定されているが、可動バネ３２３は金属板等を折曲げることにより形成されているものであるため柔軟性を有しており、可動板部３２２の一方の端部に設けられた可動接点３２１を図９図示上下方向に動かすことが可能である。また、ベースブロック３３０の固定バネ３１２の他方の端部が接続されている部分と可動バネ３２３の他方の端部が接続されている部分との間には、難燃性の樹脂材料等からなる絶縁壁３３３が設けられており、可動バネ３２３は、他方の端部より絶縁壁３３３の周囲の一部を回り込むような形状で曲げられている。
【００２４】
スイッチ部は、回転軸３４３を中心に回動可能で、可動板部３２２を移動させるカード３４０を有する。可動部３２０における可動板部３２２の一方の面となる上面は、カード３４０における第１の接触部となる上部接触部３４１と接触しており、可動板部３２２の他方の面となる下面は、カード３４０における第２の接触部となる下部接触部３４２と接触している。この状態において、カード３４０を、回転軸３４３を中心に回転させることにより、可動板部３２２が上部接触部３４１または下部接触部３４２と接触した状態で可動板部３２２に力が加わり、可動接点３２１を上下方向に移動させることができる。尚、上部接触部３４１及び下部接触部３４２は、可動板部３２２において摺動するものであるため、摩擦抵抗を低減させるために上部接触部３４１及び下部接触部３４２の表面には、フッ素樹脂等により形成された表面層を設けてもよい。
【００２５】
また、固定部３１０及び可動部３２０は、ベースブロック３３０とスイッチ部ケース３５０に囲まれた領域の内部に設置されている。カード３４０は、スイッチ部ケース３５０に設けられたスイッチ部開口部３５１より外部に飛び出した形状の突起部３４４と、ベースブロック３３０とスイッチ部ケース３５０に囲まれた領域の内部に位置するカード本体部３４５とを有している。従って、スイッチ部３００においては、上部接触部３４１または下部接触部３４２は、ベースブロック３３０とスイッチ部ケース３５０に囲まれた領域の内部に設けられている。また、カード３４０、ベースブロック３３０及びスイッチ部ケース３５０は樹脂材料等からなる絶縁体材料により形成されている。
【００２６】
尚、図９及び図１０には図示されてはいないが、スイッチ部ケース３５０の外部に、押されると回転軸３４３を中心にカード３４０を回転させる、図４等に図示のボタン２６０が設置されている。カード３４０は、突起部３４４の上部に設けられた接触部３４４ａにおいて、ボタン２６０の内壁部と接触している。
【００２７】
（スイッチ部におけるオン、オフ動作）
スイッチ部３００において、スイッチをオンにする場合には、ジャックコネクタ１００がプラグコネクタ２００のプラグコネクタ開口部２１１に入り込むことによりボタン２６０が押される。これによりボタン２６０と接触しているカード３４０が回転軸３４３を中心に回転し、上部接触部３４１を介し可動部３２０における可動板部３２２に図９図示下方向に力が加えられ、可動接点３２１と固定接点３１１とが接触する。この状態を図１０に示す。これにより、可動接点３２１と固定接点３１１とが接触し、電源から電力が供給される。
【００２８】
また、スイッチ部３００において、スイッチをオフにする場合には、後述するように、プラグコネクタ２００とジャックコネクタ１００とが離れることにより、ボタン２６０が復帰バネ２７０の復元力により元の位置に戻る。これにより、ボタン２６０と接触しているカード３４０が回転軸３４３を中心に図１０図示上方向に回転し、下部接触部３４２を介し可動部３２０における可動板部３２２に上方向に力が加わる。このように可動板部３２２に加えられた上方向の力により可動接点３２１と固定接点３１１との接触を離すことができ、電源からの電力の供給を停止することができる。この状態を図９に示す。この際、可動接点３２１と固定接点３１１との間でアークが発生する場合があるため、磁界の力によりアークを飛ばすことができるように、可動接点３２１と固定接点３１１との接触位置の近傍には、アークの発生する方向に対して略垂直方向の磁界を発生させる永久磁石３８０が設けられている。
【００２９】
また、スイッチ部３００では、前述の通り絶縁壁３３３が設けられている。絶縁壁３３３により、固定部３１０と可動部３２０との熱による溶解等が進行した場合においても、固定部３１０の溶解された部分と、可動部３２０の溶解された部分とが絶縁壁３３３により分離される。よって、固定部３１０と可動部３２０とが溶解しくっついた状態のまま電流が流れ続けてしまうことを防ぐことができる。
【００３０】
（コネクタの接続方法）
次に、本実施の形態におけるコネクタの接続方法について説明する。具体的には、ジャックコネクタ１００とプラグコネクタ２００とが離れている状態から、ジャックコネクタ１００とプラグコネクタ２００とを嵌合させて、電力が供給される状態まで、また、電力が供給されている状態から電力の供給が停止される状態まで、について順に説明する。
【００３１】
最初に、図１１に示すジャックコネクタ１００とプラグコネクタ２００とが離れている状態から、図１２に示すように、プラグコネクタ２００におけるプラグコネクタ開口部２１１にジャックコネクタ１００を挿入する。これにより、プラグコネクタ２００のプラグ端子２２１とジャックコネクタ１００のジャック開口部１２１の奥に設けられたジャック端子１７１とが接触する。同様に、プラグコネクタ２００のプラグ端子２２２と、これに対応するジャックコネクタ１００のジャック開口部１２２内に設けられたジャック端子とが接触し、プラグコネクタ２００のプラグ端子２２３と、これに対応するジャックコネクタ１００のジャック開口部１２３内に設けられたジャック端子とが接触する。プラグ端子とジャック端子とが接触している状態においては、スイッチ部３００はまだオン状態となっていないため、ジャックコネクタ１００側には、電力の供給はなされない。
【００３２】
図１２に図示する状態では、接触可動部２６１が接触面１１１に接触している。この状態でジャックコネクタ１００を更に奥に押込むと、接触可動部２６１が接触面１１１によって押され、ボタン２６０が復帰バネ２７０の付勢力に抗して図１２図示左側に移動する。
【００３３】
尚、図１３は、図１２の状態におけるロック解除バネ部２５０の位置を示すものである。図１３に示されるように、プラグコネクタ２００におけるロック解除バネ部２５０の突起部２５１は、ジャックコネクタ１００におけるロック解除溝１５０内に入り込んでおり、ロック解除バネ部２５０におけるロック部２５３及び傾斜部２５４は、プラグコネクタ２００のバネ開口部２４２よりも奥側に設けられた凸部２４３よりも、プラグコネクタ開口部２１１の入り口側に位置している。
【００３４】
次に、図１４に示すように、プラグコネクタ２００のプラグコネクタ開口部２１１にジャックコネクタ１００を図１２の状態から更に挿入する。これにより、ジャックコネクタ１００の接触面１１１によりボタン２６０の接触可動部２６１が押され、ボタン２６０は、プラグコネクタ２００内の奥に移動する。これにより、ボタン２６０により図１４には不図示のスイッチ部３００におけるカード３４０が押され、スイッチ部３００のスイッチがオンとなり、ジャックコネクタ１００側に電力の供給がなされる。
【００３５】
このように、図１２の状態から図１４の状態にボタン２６０がプラグコネクタ２００内の奥に移動することに伴い、図１５に示されるように、ロック解除バネ部２５０もプラグコネクタ２００の奥に移動する。ロック解除バネ部２５０のロック部２５３及び傾斜部２５４は、凸部２４３よりも奥に移動し、ロック解除バネ部２５０のロック部２５３は、図１６に示される凸部２４３よりも奥に設けられた係止部となる凹部２４４内に入り込み固定される。この際、図１２及び図１３の状態からジャックコネクタ１００が押込まれると、ロック解除バネ部２５０の傾斜部２５４が凸部２４３に当接してロック部２５３が押し下げられ、更にジャックコネクタ１００が押込まれてロック部２５３が凸部２４３を通過すると、ロック部２５３が元の位置に復帰して凹部２４４に入り込む。このように、凹部２４４にロック解除バネ部２５０のロック部２５３が入り込むことにより、ロック部２５３の図１５図示右端が凸部２４３の図示左面に当接して、ロック解除バネ部２５０及びボタン２６０の入り口側への移動が凸部２４３により規制され、スイッチ部３００におけるスイッチのオン状態が維持されるため、電力が供給されている状態が維持される。尚、図１５は、図１４の状態におけるロック解除バネ部２５０の位置を示すものであり、図１６は、図１５の状態において、ロック解除バネ部２５０を取り除いた状態の様子を示すものである。また、図１７〜図２０は、この状態の異なる断面における断面図である。図１９及び図２０においては、説明の便宜上、ジャックコネクタ１００が省略されている。図２１は、この状態における斜視図である。
【００３６】
特に、図１８及び図２０から分かるように、スイッチ部３００に設けられたカード３４０の端部がボタン２６０により図示左側に押込まれるため、カード３４０が回転軸３４３を中心に回転して可動板部３２２を押し、可動接点３２１が固定接点３１１と接触する。
【００３７】
次に、プラグコネクタ２００よりジャックコネクタ１００を引き抜く場合について説明する。図２２は、図１４等に示される状態から、押下部１４２を押し下げて突起部１４１と開口部２４１との係合状態を解除して、プラグコネクタ２００よりジャックコネクタ１００を少し引き抜いた状態を示している。この状態においては、ボタン２６０はまだ押込まれた位置にあるので、スイッチ部３００におけるスイッチはオンとなっており、ジャックコネクタ１００のジャック端子とこれに対応するプラグコネクタ２００のプラグ端子とが接触しているため、図２２の状態では電力の供給は継続されている。尚、図２３は、この状態におけるロック解除バネ部２５０の位置を示すものである。ロック解除バネ部２５０のロック部２５３は、凹部２４４内に入り込み凸部２４３により固定された状態のままであり、これによりボタン２６０がカード３４０を押している状態が維持されているため、スイッチ部３００におけるスイッチのオン状態が継続される。
【００３８】
この後、更に、プラグコネクタ２００よりジャックコネクタ１００を引き抜くことにより、図２４に示されるように、ロック解除バネ部２５０における突起部２５１は、ジャックコネクタ１００におけるロック解除溝１５０の端の傾斜部１５１と接触し、傾斜部１５１に沿って押し下げられる。これにより、ロック解除バネ部２５０におけるロック部２５３と凸部２４３との係合状態が解除され、凹部２４４よりロック部２５３が外れるため、復帰バネ２７０の復元力により、ボタン２６０がプラグコネクタ開口部２１１の入り口側に戻され、これに伴い、ロック解除バネ部２５０も元の位置（図１１から図１３に図示の位置）に戻される。このように、復帰バネ２７０の復元力により、ボタン２６０及びロック解除バネ部２５０が元の位置に戻ることにより、カード３４０も元の位置に戻り、スイッチ部３００におけるスイッチはオフとなるため、電力の供給が遮断される。この際、復帰バネ２７０の付勢力によってボタン２６０が瞬時に元の位置に戻るため、カード３４０も瞬時に元の位置に戻り、これによりスイッチ部３００の可動接点３２１と固定接点３１１も速やかに離間してスイッチが瞬時に遮断される。なお、スイッチ部３００は、プラグ端子とジャック端子との接続状態が解除される前に遮断される。言い換えると、スイッチが遮断され通電していない状態となってから、プラグ端子とジャック端子との接続が解除される。
【００３９】
本実施の形態においては、電力の供給が遮断される際に、復帰バネ２７０の復元力により瞬時にスイッチを遮断することができるため、アークの発生を最小限にとどめることができる。この後、更に、プラグコネクタ２００よりジャックコネクタ１００を引き抜くことにより、図１１に示す状態となる。
【００４０】
以上、本発明の実施に係る形態について説明したが、上記内容は、発明の内容を限定するものではない。
【符号の説明】
【００４１】
１００      ジャックコネクタ
１１０      ジャック筐体部
１１１      接触面
１２１      ジャック開口部
１２２      ジャック開口部
１２３      ジャック開口部
１３０      電源ケーブル
１５０      ロック解除溝
１５１      傾斜部
１７１      ジャック端子
２００      プラグコネクタ
２１０      プラグ筐体部
２２１      プラグ端子
２２２      プラグ端子
２２３      プラグ端子
２４１      開口部
２４２      バネ開口部
２４３      凸部
２４４      凹部
２５０      ロック解除バネ部
２５１      突起部
２５２      接続部
２５３      ロック部
２５４      傾斜部
２６０      ボタン
２７０      復帰バネ
３００      スイッチ部
３１０      固定部
３１１      固定接点
３１２      固定バネ
３２０      可動部
３２１      可動接点
３２２      可動板部
３２３      可動バネ
３３０      ベースブロック
３３１      ベースブロック本体部
３３２      固定部支持部
３３３      絶縁壁
３４０      カード
３４１      上部接触部（第１の接触部）
３４２      下部接触部（第２の接触部）
３４３      回転軸
３４４      突起部
３４４ａ    接触部
３４５      カード本体部
３５０      スイッチ部ケース
３５１      スイッチ部開口部
３８０      永久磁石
【図１】
0006618816.tif 000002
【図２】
0006618816.tif 000003
【図３】
0006618816.tif 000004
【図４】
0006618816.tif 000005
【図５】
0006618816.tif 000006
【図６】
0006618816.tif 000007
【図７】
0006618816.tif 000008
【図８】
0006618816.tif 000009
【図９】
0006618816.tif 000010
【図１０】
0006618816.tif 000011
【図１１】
0006618816.tif 000012
【図１２】
0006618816.tif 000013
【図１３】
0006618816.tif 000014
【図１４】
0006618816.tif 000015
【図１５】
0006618816.tif 000016
【図１６】
0006618816.tif 000017
【図１７】
0006618816.tif 000018
【図１８】
0006618816.tif 000019
【図１９】
0006618816.tif 000020
【図２０】
0006618816.tif 000021
【図２１】
0006618816.tif 000022
【図２２】
0006618816.tif 000023
【図２３】
0006618816.tif 000024
【図２４】
0006618816.tif 000025